(57)【要約】【課題】光ディスク装置において、汚れや傷などがある光ディスクに対しても記録または再生が可能な技術の提供。【解決手段】ディスクローディング処理において、光ディスク記録面の汚れや傷などの度合いを検出して該度合いを判別し、該度合いが所定レベル以下の低い場合には、汚れや傷などがある旨を警告した状態で記録または再生が可能な状態にする。該度合いが上記所定レベルを超えても、サーボ制御が可能な範囲内であれば、該汚れや傷などがある旨を警告した状態で少なくとも再生が可能な状態にする。また、記録の場合には、レーザービームの強度を高め、記録の信頼性を確保する。さらに、該汚れや傷などがある旨は履歴情報として光ディスク内に記録する。【選択図】  図２
2005044406.tif 000002
【特許請求の範囲】
【請求項１】
光ディスクに対し情報を記録、再生のいずれか一方または両方を行う光ディスク装置であって、
上記光ディスクの記録面における汚れ、異物の付着、または傷を含む変形を検出可能な検出手段と、
上記検出した汚れ、異物の付着、または傷を含む変形の度合いを、予め設定した基準レベルと比較し、装置が該光ディスクに対し、記録動作、再生動作の両方が可能な第１の状態か、再生動作のみが可能な第２の状態か、記録動作も再生動作も不可能な第３の状態かを判別する制御手段と、
上記判別の結果に基づき、装置の動作モードを選択する選択手段と、
を備え、上記光ディスクの記録面における汚れ、異物の付着、または傷を含む変形があるときも、記録または再生の動作モードを選択可能とした構成を特徴とする光ディスク装置。
【請求項２】
光ディスクに対し情報を記録、再生のいずれか一方または両方を行う光ディスク装置であって、
上記光ディスクの記録面における汚れ、異物の付着、または傷を含む変形を検出可能な検出手段と、
上記検出した汚れ、異物の付着、または傷を含む変形の度合いを、予め設定した基準レベルと比較し、装置が該光ディスクに対し、記録動作、再生動作の両方が可能な第１の状態か、再生動作のみが可能な第２の状態か、記録動作も再生動作も不可能な第３の状態かを判別する制御手段と、
上記判別の結果を表示または報知して警告する警告手段と、
を備え、上記光ディスクの記録面における汚れ、異物の付着、または傷を含む変形があるときも、少なくとも上記第１の状態または第２の状態の場合は、上記警告をした状態で記録または再生の動作モードを選択可能とした構成を特徴とする光ディスク装置。
【請求項３】
光ディスクに対し情報を記録、再生のいずれか一方または両方を行う光ディスク装置であって、
上記光ディスクの記録面における汚れ、異物の付着、または傷を含む変形を検出可能な検出手段と、
上記検出した汚れ、異物の付着、または傷を含む変形の度合いを、予め設定した基準レベルと比較し、装置が該光ディスクに対し、記録動作、再生動作の両方が可能な第１の状態か、再生動作のみが可能な第２の状態か、記録動作も再生動作も不可能な第３の状態かを判別する制御手段と、
上記判別の結果に基づき、上記光ディスクに照射されるレーザー光の光量を制御する駆動手段と、
を備え、上記判別の結果、装置が上記第１の状態にあると判別され、かつ記録モードが選択されたときは、上記照射されるレーザー光の光量を、上記汚れ、異物の付着、または傷を含む変形が検出されない場合よりも増大させるように制御する構成を特徴とする光ディスク装置。
【請求項４】
上記制御手段は、ローディング処理期間内に上記判別を行い、かつ、サーボ制御が可能な場合は、装置は上記第１の状態または第２の状態にあると判別し、選択により装置として記録、再生のいずれかが可能な構成である請求項１、２または３に記載の光ディスク装置。
【請求項５】
上記制御手段は、上記第１の状態の判別後、光ディスクに対し記録を行ったことを表す履歴情報を該光ディスク内の所定領域に記録するように制御する構成を備える請求項１から４のいずれかに記載の光ディスク装置。
【請求項６】
光ディスクに対し情報を記録、再生のいずれか一方または両方を行う光ディスク装置と、該光ディスク装置と信号授受する機器部とが接続されて成る記録装置であって、
上記光ディスク装置は、
上記光ディスクの記録面における汚れ、異物の付着、または傷を含む変形を検出可能な検出手段と、該検出した汚れ、異物の付着、または傷を含む変形の度合いを基準レベルと比較し、光ディスク装置が該光ディスクに対し、記録動作、再生動作の両方が可能な第１の状態にあるか、再生動作のみが可能な第２の状態にあるか、記録動作も再生動作も不可能な第３の状態にあるかを判別する制御手段と、該判別の結果に基づき、装置の動作モードを選択する選択手段とを備え、上記光ディスクの記録面における汚れ、異物の付着、または傷を含む変形があるときも、記録または再生の動作モードを選択可能であり、
上記機器部は、
上記光ディスク装置が上記第１の状態の判別後に光ディスクに対し記録を行ったとき、その履歴情報を該光ディスク内の管理情報領域に記録するように上記光ディスク装置の上記制御手段を制御する構成を備えることを特徴とする記録装置。
【請求項７】
光ディスクに対し情報を記録、再生のいずれか一方または両方を行う光ディスク装置と、該光ディスク装置と信号授受する機器部とが接続されて成る記録装置であって、
上記光ディスク装置は、
上記光ディスクの記録面における汚れ、異物の付着、または傷を含む変形を検出可能な検出手段と、該検出した汚れ、異物の付着、または傷を含む変形の度合いを基準レベルと比較し、光ディスク装置が該光ディスクに対し、記録動作、再生動作の両方が可能な第１の状態にあるか、再生動作のみが可能な第２の状態にあるか、記録動作も再生動作も不可能な第３の状態にあるかを判別するとともに、該判別の結果を表示または報知して警告するための制御信号を出力する制御手段とを備え、上記光ディスクの記録面における汚れ、異物の付着、または傷を含む変形があるときも、記録または再生の動作モードを選択可能であり、
上記機器部は、
上記光ディスク装置の制御手段からの上記制御信号に基づき、少なくとも上記光ディスク装置が上記第１の状態または第２の状態にあるときに上記警告の表示を行う表示手段を備えた構成であることを特徴とする記録装置。
【請求項８】
上記機器部の上記表示手段は、汚れ、異物の付着、または傷を含む変形がある光ディスクに対し記録または再生を行っている最中にも、上記警告の表示を行う構成である請求項７に記載の記録装置。
【請求項９】
光ディスクに対し情報を記録、再生のいずれか一方または両方を行う光ディスク装置と、該光ディスク装置と信号授受する機器部とが接続されて成る記録装置であって、
上記光ディスク装置は、
上記光ディスクの記録面における汚れ、異物の付着、または傷を含む変形を検出可能な検出手段と、該検出した汚れ、異物の付着、または傷を含む変形の度合いを基準レベルと比較し、光ディスク装置が該光ディスクに対し、記録動作、再生動作の両方が可能な第１の状態にあるか、再生動作のみが可能な第２の状態にあるか、記録動作も再生動作も不可能な第３の状態にあるかを判別するとともに、該判別の結果を警告するための制御信号または上記異物の付着、または傷を含む変形のない光ディスクを装着するよう警告するための制御信号を出力する制御手段とを備え、上記光ディスクの記録面における汚れ、異物の付着、または傷を含む変形があるときも、記録または再生の動作モードを選択可能であり、
上記機器部は、
上記光ディスク装置の制御手段からの上記制御信号に基づき、少なくとも上記光ディスク装置が上記第１の状態または第２の状態にあるときは上記汚れ、異物の付着、または傷を含む変形があることを警告し、光ディスクを装着する機構が開いて該光ディスクの装着が可能になったときは、記録面に汚れ、異物の付着、または傷を含む変形がない光ディスクを装着するよう警告する警告手段を備えた構成であることを特徴とする記録装置。
【請求項１０】
上記光ディスク装置は、ローディング処理期間内に上記判別を行い、かつ、サーボ制御が可能な場合は、装置は上記第１の状態または第２の状態にあると判別し、選択により装置として記録、再生のいずれかが可能な構成である請求項６、７または９に記載の記録装置。
【請求項１１】
上記機器部は、撮像手段を備え、撮像した画像の信号を上記光ディスク装置側に出力可能なカメラ部である請求項６から１０のいずれかに記載の記録装置。
【発明の詳細な説明】
【０００１】
【発明の属する技術分野】
本発明は、光ディスク装置に係り、特に、汚れ、異物の付着、または傷を含む変形がある光ディスクに対応するための技術に関する。
【０００２】
【従来の技術】
光ディスク装置において、光ディスクに汚れ、異物などの付着や、傷などがあると、その箇所はビームが遮られ、十分な光量のビームが記録膜に到達せず、結果として、その箇所は正常に情報を記録することができなくなる場合がある。このための対策技術としては、従来、例えば下記（１）〜（３）が提案されている。
（１）光ディスクの汚れを検出して、光ディスクのクリーニングが必要なこと等を知らせる（特許文献１参照）。
（２）汚れた領域を管理情報に登録し、その領域を使用禁止とし、汚れが付着している箇所を除いた領域に情報を記録する（特許文献２参照）。
（３）光ディスクの汚れた領域において記録ビームのパワーを補正する（特許文献３参照）。
【０００３】
【特許文献１】
特開平５−２７４７０７号公報（段落番号００２４、図１）
【特許文献２】
特開２００２−９３０６６号公報（段落番号００２４、図６）
【特許文献３】
特開２００３−９９９２２号公報（段落番号００１０、図１）
【０００４】
【発明が解決しようとする課題】
従来技術のうち、例えば上記（１）では、光ディスク装置に光ディスクを装着後、記録が可能な状態に遷移することが要求されるビデオカメラやビデオレコーダなどの映像記録装置においては、光ディスクをクリーニングしている間に所望の映像の記録機会を逸してしまうおそれがある。また、上記（２）では、ディスク記録面の全領域に付着した汚れを検出する必要があり、そのための時間を必要とする。このため、ディスク装着後、直ちに記録開始することが困難であり、上記（１）と同様、リアルタイムタイム性が要求される装置への適用に困難が予想される。また、上記（３）では、リアルタイム性を損ねずにディスク汚れに対処できるが、検出した汚れ箇所のみでビーム強度を補正するため、特殊なレーザードライバ等を必要とし、コスト増大につながるおそれがある。また、ディスクに汚れが付着していても記録が実行されるため、後でディスクを再生して再生異常となった場合に、該異常が、汚れに起因するか否かを判断することが難しい。
本発明の課題点は、上記従来技術の状況に鑑み、光ディスク装置またはこれを用いた記録装置において、汚れや異物の付着や、傷などの変形がある光ディスクであっても、記録または再生動作に移行することができ、それによって、光ディスクの情報保存機能及び情報提供機能を向上可能にすることである。
本発明の目的は、かかる課題点を解決できる技術の提供にある。
【０００５】
【課題を解決するための手段】
上記課題点を解決するために、本発明では、基本的に、ディスクの記録面に付着した汚れや異物、または傷を含む変形と、それぞれの度合いとを検出し、その度合いによって、装置の動作モードを選択できるようにする。上記汚れや傷などが検出された場合であっても、その度合いが所定レベル以内の場合は、装置をそのディスクに対し記録動作が可能な状態へと遷移させる。上記汚れや傷などの度合いが上記所定レベルを超え、記録を行う状態に遷移できない場合は、サーボ制御をするために必要な信号が生成される範囲で、少なくとも再生のみを行えるようにする。上記記録または再生の動作モードの選択が可能な場合は、その光ディスクには汚れや傷などが検出されている旨を表示や報知により警告する。具体的には、上記を基本構成要件とした光ディスク装置と、該光ディスク装置をカメラ部等の機器部と結合して成る記録装置とを本発明として提案する。
【０００６】
【発明の実施の形態】
以下、本発明の実施例につき、図面を用いて説明する。
図１〜図４は、本発明の実施例の説明図である。図１は、本発明の実施例の構成例図、図２は、図１の構成における動作説明図、図３は、汚れや傷などの検出方法の説明図、図４は、履歴情報の保存に関する説明図である。
図１は、光ディスク装置を用いた記録装置の構成例である。本記録装置は、撮像機能を有し、映像、音声の入力と出力とを行う機器部としてのカメラ部１０１と、光ディスクに対し映像、音声等の記録及び再生を行う光ディスク装置としてのドライブ１１６より成り、該カメラ部１０１と該光ディスク装置とが一体状に形成された場合の例である。
【０００７】
以下、カメラ部１０１の構成と動作、及び、ドライブ１１６（光ディスク装置）の構成と動作につき説明する。
図１において、カメラ部１０１を構成する要素中、１０２はレンズユニット、１０３は撮像センサ（ＣＣＤ）、１０４は映像入力処理回路、１０５はマイク、１０６は音声入力処理回路、１０７は圧縮・伸張処理回路、１０８は映像出力処理回路、１０９は映像表示モニタ、１１０は音声出力処理回路、１１１はスピーカ、１１２はカメラ部の制御回路、１１３はレンズユニット１０２のドライバ、１１４はカメラ部の操作スイッチ、１１５はドライブとのインタフェースである。
【０００８】
カメラ部１０１の撮影時における動作は次の通りである。撮影時において映像は、ドライバ１１３によって駆動されるレンズユニット１０２を介して撮像センサ１０３にて電気信号に変換され、映像入力処理回路１０４において映像信号に変換される。音声は、マイク１０５を介して音声入力処理回路１０６において音声信号に変換される。映像入力処理回路１０４にて生成された映像信号、及び音声入力処理回路１０６にて生成された音声信号は圧縮・伸張処理回路１０７にて圧縮処理が施され、ディスクに記録するための映像音声情報に変換される。圧縮・伸張処理回路１０７にて生成された映像音声情報は、制御回路１１２の制御により、インタフェース１１５を介してドライブ１１６に送られる。ドライブ１１６へは、映像音声情報の他にも映像音声情報をディスクの所望の領域に記録させるためのコマンドや映像音声情報の管理情報が制御回路１１２よりインタフェース１１５を介して送られる。
【０００９】
また、カメラ部１０１の再生時における動作は次の通りである。再生時においては、制御回路１１２よりドライブ１１６に対して再生を指示するコマンドがインタフェース１１５を介して送られ、これにより、ドライブ１１６より映像音声情報が送られる。インタフェース１１５を介してカメラ部１０１に取り込まれた映像音声情報は圧縮・伸張処理回路１０７にて伸張処理が施される。伸張された映像情報は映像出力処理回路１０８にて映像信号に変換され、映像表示モニタ１０９に表示され、伸張された音声情報は音声出力処理回路１１０にて音声信号に変換され、スピーカ１１１より出力される。
【００１０】
なお、映像表示モニタ１０９へは、映像情報に限らず、カメラを操作するためのメニューや、カメラの動作状態を知らせるための文字等や、ディスクに記録された映像音声情報に関する撮影日時、ファイルサイズ等の属性情報についても制御回路１１２の制御によって表示することが可能である。また、撮影、再生、ディスク排出、メニューの選択等のカメラ部１０１に対する指示は、操作スイッチ１１４を介して制御回路１１２に情報を伝達することによって行う。
【００１１】
以下、ドライブ１１６（光ディスク装置）の構成と動作につき説明する。
図１において、１１７は装着される光ディスク、１１８は光ディスク１１７を回転駆動するスピンドルモータ、１１９は光ピックアップ、１２０はアナログ信号処理回路、１２１はデジタル信号処理回路、１２２はバッファメモリ、１２３はカメラ部１０１とのインタフェース、１２４はコースモータ、１２５はサーボ回路、１２６はドライブ１１６全体を制御する制御回路、１２７は光ディスク１１７を覆う蓋（図示せず）の開閉を検知するための開閉センサである。光ディスク１１７は記録媒体であるため、ドライブ１１６の構成要素には含めないものとする。
【００１２】
記録時、ドライブ１１６には、カメラ部１０１側から、記録を指示するコマンドと、光ディスク１１７に記録すべき映像音声情報及び管理情報が送られてくる。インタフェース１２３を介して制御回路１２６に該コマンドが入力されると、制御回路１２６は、記録開始アドレスをデジタル信号処理回路１２１に設定するとともに、サーボ回路１２５に指令を出し、光ピックアップ１１９を光ディスク１１７の記録開始位置の前方に移動させる。サーボ回路１２５は、指令に従い、コースモータ１２４を駆動させることにより光ピックアップ１１９を指定位置まで移動させるとともに、スピンドルモータ１１８の回転が所定回転数となるよう制御する。この時、光ピックアップ１１９からは再生レベルのレーザービームが光ディスク１１７に照射され、該光ディスク１１７からの反射光が光ピックアップ１１９で受光されて電気信号に変換され、アナログ信号処理回路１２０に送られる。アナログ信号処理回路１２０では、フォーカシング及びトラッキングなどのサーボ制御に必要な誤差信号が生成されるとともに、光ディスク１１７上の絶対位置を検知するためのアドレス情報が生成される。上記生成された誤差信号はサーボ回路１２５に送られ、アドレス情報はデジタル信号処理回路１２１に送られる。
【００１３】
一方、映像音声情報及び管理情報は、インタフェース１２３を介してデジタル信号処理回路１２１をエラー訂正符号の付加、変調処理が施され、バッファメモリ１２２に一時記憶される。光ピックアップ１１９及びアナログ信号処理回路１２０を介して得られるアドレス情報によって、デジタル信号処理回路１２１で記録開始位置が検知されると、デジタル信号処理回路１２１の制御によって、バッファメモリ１２２から変調処理済みの映像音声情報が光ピックアップ１１９に送られる。光ピックアップ１１９からは変調された情報に基づいた発光パターンの記録レベルのレーザービームが光ディスク１１７の記録面に照射され、該光ディスクに情報が記録される。
【００１４】
また、再生時、ドライブ１１６には、カメラ部１０１から、再生を指示するコマンドが送られ、該コマンドは、インタフェース１２３を介して制御回路１２６に入力される。制御回路１２６は、該コマンドに基づき、再生開始アドレスをデジタル信号処理回路１２１に設定するとともに、光ピックアップ１１９をディスク１１７の再生開始位置の前方に移動させるようサーボ回路１２５に対して指令を出す。サーボ回路１２５は、該指令に従い、コースモータ１２４を駆動させることにより光ピックアップ１１９を指定位置まで移動させるとともに、スピンドルモータ１１８の回転が所定回転数となるよう制御する。また、このとき、光ピックアップ１１９からは再生レベルのレーザービームが光ディスク１１７の記録面に照射され、該光ディスク１１７からの反射光が光ピックアップ１１９で受光され、電気信号に変換され、アナログ信号処理回路１２０に送られる。アナログ信号処理回路１２０では、フォーカシング及びトラッキング等のサーボ制御に必要な誤差信号が生成されるとともに、光ディスク１１７上の絶対位置を検知するためのアドレス情報が生成される。上記生成された誤差信号はサーボ回路１２５に送られる。さらに、記録時に、光ディスク１１７の記録膜に形成されたマーク及びスペースに対応する再生情報がデジタル信号処理回路１２１に送られる。そして、光ピックアップ１１９及びアナログ信号処理回路１２０を介して得られるアドレス情報によって、デジタル信号処理回路１２１にて記録再生開始位置が検知されると、再生情報はデジタル信号処理回路１２１にて復調及びエラー訂正の処理が施され、バッファメモリ１２２に一時記憶された後、インタフェース１２３を介してカメラ部１０１に送られる。以上により、光ディスク１１７から所定の情報が再生される。
【００１５】
なお、上記ドライブ１１６の記録及び再生を行うためには、ドライブ１１６内に光ディスク１１７が装着され、ローディング処理が完了している必要がある。以下、該ローディング処理につき説明する。
ドライブ１１６内にディスク１１７が装着され、ディスクの覆い蓋（図示せず）が閉じられ、開閉センサ１２７の出力レベルが変化すると、制御回路１２６の制御によりローディング処理が実行される。ローディング処理では、光ディスク１１７に光ピックアップ１１９から再生レベルのレーザービームが照射され、アナログ信号処理回路１２０及びサーボ回路１２５のアンプ等のゲインやオフセットが光ディスク１１７の反射光レベルに応じて調整される。これによって、サーボ制御に必要な信号や、アドレス情報や光ディスク１１７に記録された情報の取得が可能となる。これを受けて、光ディスク１１７よりディスクの種別、欠陥情報、ドライブ固有情報等が制御回路１２６に読み込まれ、ドライブ１１６は、記録及び再生のコマンドをカメラ部１０１から受信することが可能となる。
【００１６】
以上は、本発明による記録装置が備える基本的要件である。本発明は、上記基本的要件下で新たな制御技術を導入することにより、汚れや異物、または傷を含む変形がある光ディスクに対しても、適切に記録または再生動作を実行できるようにする。以下、該制御技術を適用した本発明の記録装置の動作につき説明する。
図２は、本発明のドライブ（光ディスク装置）の状態遷移図である。この状態遷移を図１のドライブ１１６に適用することで、リアルタイム性が要求される映像記録装置のドライブとして、汚れが付着したディスクを適切に対応することができるようになる。今、ドライブに光ディスクが装着されたとして、図２に示す本発明によるドライブの状態遷移動作につき説明する。
【００１７】
光ディスクが装着されると、ドライブは状態２０１へと状態を遷移させ、ローディング処理を実行する。ローディング処理では、サーボ制御に必要な信号を生成すべく調整処理が行われる。サーポート外のディスク、汚れや傷などの度合いがひどい光ディスクが装着されたことにより、サーボ制御に必要な信号を生成できない場合に、ドライブはその状態を状態２０４へと遷移させる。サーボ制御に必要な信号を生成可能な場合には、引き続きディスクの汚れや異物や、傷などの変形の検出をローディング処理の一環として実行する。
【００１８】
上記汚れや傷などが検出されない場合は、ドライブは状態２０２へと状態を遷移させる。また、汚れや傷などが検出された場合は、その程度（度合い）が所定のレベル以下のときは状態２０２へと状態を遷移させ、検出された汚れの程度（度合い）が所定のレベルを超えるときは状態２０３へと状態を遷移させる。状態２０１からの遷移先である状態２０２、状態２０３及び状態２０４はそれぞれ、記録、再生とも実行可能な状態、再生のみが実行可能な状態、記録、再生とも実行不可能な状態である。
【００１９】
従来のドライブでは、例えばローディング処理においてディスクの汚れが検出された場合には通常、状態を、記録、再生とも不可能な状態に遷移させる。これに対し本発明では、ローディング処理においてディスクの汚れや傷などが検出された場合にも、リアルタイム性を優先させ、記録及び再生を実行可能な状態へと状態を遷移させるか、または、少なくとも再生のみが可能な状態へと遷移させる。この点で、本発明は、従来のドライブと根本的に相違する。本発明では、ドライブは、記録の指令を受けた場合には直ちに状態２０５へと状態を遷移させて記録を実行することができ、また、再生の指令を受けた場合は直ちに状態２０６へと状態を遷移させて再生を実行することができる。なお、図２には状態２０３を示し、記録が可能な状態へと遷移できない場合は状態２０３へと遷移すると説明したが、装置の仕様によっては、状態２０３を設定せず、記録が可能な状態へと遷移できない場合は状態２０４へと遷移させてもよい。
【００２０】
また、従来のドライブにおける汚れ検出は、ディスク全面にわたってつぶさに汚れを検出するものであったが、本発明では、光ディスクの記録面に汚れや傷などがある場合であっても、それらの度合いによって記録または再生の実行が可能な状態へと遷移させることから、ローディング処理における汚れや傷などの検出に厳密性が要求されない。このため、例えば検出時間の短縮化のために粗い検出を行う検出技術であっても本発明には適用可能である。
【００２１】
図３は、汚れや傷などに対し粗い検出を行う検出技術の説明図である。
図３において、３０１は光ディスク、３０２〜３０５は汚れや傷などの検出時にレーザービームを操作させるディスク記録面のトラック、３０６はディスク記録面の汚れや傷などである。図１で述べたように、制御回路１１２の指令のもと、サーボ回路１２５が光ピックアップ１１９を、図３に示すようにディスクの半径方向に間隔をおいて光ピックアップを移動させつつ、所定のトラックにレーザービームを走査させる。このとき、汚れや傷などがある領域の反射光と、汚れや傷などがない領域の反射光が光ピックアップ１１９より異なるレベルの電気信号として出力され、その電気信号のレベルがアナログ信号処理回路１２０を介して制御回路１２６に入力される。これによって、汚れや傷などの有無が容易に判定される。また、該汚れや傷などの検出を行うためのトラック全ての走査時間と、それに占める反射光量レベルの変動した時間の合計との割合により、該汚れや傷などの範囲がわかり、記録の実行が可能か否かを判断することができる。
【００２２】
また、本発明は、従来ドライブとは異なり、ディスク記録面から汚れや異物、または傷を含む変形が検出された場合の記録においては、これら汚れや傷などの度合いに関わらず、レーザービームの強度を一律に高め、光ディスク面に照射するレーザー光の光量を増大させる。これにより、記録の信頼性を高めることができる。なお、レーザービームの強度を高める度合いは、例えば一律１０％などとし、汚れや異物、または傷を含む変形がない領域においては、最適なビーム強度から外れるものの、記録に影響がない程度のビーム強度とし、これによって汚れや傷などがある領域における記録膜への到達光量が所定量となるようにする。
【００２３】
記録時に、上記のように、レーザービームの強度を一律に高めたとしても汚れや傷がある領域では情報が正しく記録されず、そのため、再生時に該領域からは情報が正しく再生されないことも起こり得る。本発明では、かかる場合には、ドライブに汚れや傷などがある光ディスクが装着されている旨を履歴情報としてユーザに知らせることができるようにする。ディスクに汚れや傷などがあるという情報は、図１では、制御回路１２６において保持され、カメラ部１０１よりドライブ１１６に対してドライブの状態を確認するコマンドが発行された場合に、制御回路１２６よりインタフェース１２３を介してドライブ１１６からカメラ部１０１に送られる。カメラ部１０１では、その情報がインタフェース１１５を介して制御回路１１２に入力され、制御回路１１２の制御により、該入力された情報に基づく警告が映像表示モニタ１０９に表示される。該警告はスピーカ１１１から音声により報知するようにしてもよい。また、さらに、該警告は、ドライブ１１６内において、例えば，スピーカ（図示なし）から音声による報知や、ＬＥＤなどの点灯による表示で行うようにしてもよい。ＬＥＤなどの点灯による場合には、例えば、汚れや傷などが検出された場合と検出されない場合とで、ＬＥＤなどの点灯状態を、点灯色や点滅の仕方などで変えたり、または、汚れや傷などが検出された場合には警告専用のＬＥＤなどが点灯するようにする方法などが考えられる。カメラ部１０１側またはドライブ１１６側における該警告によって、ユーザに対しディスクのクリーニングを促すなどの積極的なアクションが可能となる。
【００２４】
ただし、警告した場合であっても、映像装置ユーザの判断によっては、ディスクのクリーニングがなされることなく記録または再生が指示され、記録または再生を実行せざるを得ない場合もある。本発明では、これに対応して、記録あるいは再生の実行中においても警告可能とする。例えば、図１において、ドライブ１１６が、汚れや傷などのある光ディスクに対し記録または再生を行っている最中に、カメラ部１０１において、制御回路１１２の制御により、映像表示モニタ１０９に汚れや傷などがある光ディスクである旨を継続して警告、あるいは、汚れや傷などがあるディスクを使用していることがわかる情報を表示させる。
【００２５】
また、本発明においては、ディスクに汚れや傷などがあることを記録中に警告はするが、ディスクへの記録は継続して実行可能となる。仮に、汚れや傷などにより正常な記録ができない領域が発生した場合には、該ディスクで再生を行うと、情報が正常に再生されない。このようなとき、正常に再生できない原因を確認できるようにするために、本発明ではさらに、汚れや傷などがある光ディスクに対して記録を行ったということを、履歴情報としてそのディスクに記録しておく。これによって、記録終了後に記録実行時のディスク状態を確認することが可能となる。
【００２６】
以下、上記履歴情報の記録につき説明する。図４は、該履歴情報の記録についての説明図である。
図４において、４０１は光ディスク全体の領域、４０２は光ディスクのリードイン領域、４０３はデータ領域、４０４はリードアウト領域、４０５はリードイン領域を拡大したもの、４０６は、リードイン領域中のドライブ固有の情報を記録することが可能な領域、４０７はデータ領域４０３を拡大したもの、４０８は、データ領域に記録された各ファイルの管理情報、４０９〜４１２は、データ領域に記録されたファイル、４１３は、まだファイルが記録されていない領域である。リードイン領域４０２及びリードアウト領域４０４は、ドライブ専用の領域であり、ドライブのホスト側機器例えば図１のカメラ部１０１などが直接に情報の読み書きを行うことはできない。データ領域４０３は、ドライブのホスト側機器に公開される領域であり、該データ領域４０３内であれば、ホスト側機器は任意の位置に任意の情報を記録することができる。図１の記録装置においては、カメラ部１０１からドライブ１１６に送られる映像音声情報やそれらの管理情報はデータ領域４０３内に記録される。
【００２７】
上記図１の構成においては、光ディスクの汚れや傷などは、ドライブ１１６において検出され、検出結果の情報をカメラ部１０１に送るが、例えば、カメラ部１０１が、ドライブ１１６内の光ディスクに汚れや傷などがあることを認識した上で、新たな映像音声情報を、図４の領域４１３に記録するようドライブ１１６に指示し、該領域４１３に該新たな映像音声情報が記録されたとする。このとき、カメラ部１０１は、領域４１３に新たな映像音声情報を記録したことを管理するために、管理情報４０８の内容を更新する。該領域４１３に記録する情報に関する管理情報を管理情報４０８内に記録する際に、ディスクに汚れや傷がある状態で記録したことを表す履歴情報も含める。これにより、記録終了後であっても、管理情報の内容を確認することで、ディスク上の各ファイルが記録された時点において、ディスクに汚れや傷があったか否かを確認することができるようになる。また、ドライブ１１６がディスクの汚れや傷などを検出している状態で、カメラ部１０１から記録を指示された場合、例えば、ドライブ１１６が領域４０６に記録開始アドレス及び記録サイズを記録しておくと、記録終了後にディスクに汚れや傷などがある状態で記録を行った領域を特定することが可能となる。
【００２８】
以上は、ディスクの装着後の動作についての説明であり、上記警告はディスクのローディング期間中またはその後の記録もしくは再生動作中に行うとしたが、本発明はこれに限定されず、ディスク装着前に警告を発し、汚れや傷などがない光ディスクがドライブに装着されるようにしてもよい。以下、本技術につき、図１を用いて説明する。図１において、例えば、ドライブ１１６に光ディスク１１７を装着すべく、ディスクの覆い蓋（図示せず）を開くよう操作スイッチ１１４を操作した場合、制御回路１１２は、インタフェース１１５を介してドライブ１１６にイジェクトコマンドを送る。同時に、圧縮・伸張処理回路１０７及び音声出力処理回路１１０を介してスピーカ１１１からは、汚れや傷などのない光ディスクを装着するよう音声を出力させて警告の報知を行うようにする。あるいは、圧縮・伸張処理回路１０７及び映像出力処理回路１０８を介して映像表示モニタ１０９に汚れや傷などのない光ディスクを装着するようメッセージを表示させ、警告の表示を行う。該警告はスピーカ１１１から音声により報知するようにしてもよい。また、さらに、該警告は、ドライブ１１６内において、音声による報知や、ＬＥＤなどの点灯による表示で行うようにしてもよい。かかる構成によっても、ディスクの汚れや傷などに対応することができる。
【００２９】
上記実施例によれば、（１）ローディング処理において光ディスクに汚れや傷などが検出された場合にも、記録または再生を実行可能で、リアルタイム性を優先させることができる。（２）汚れや傷などの検出に厳密性が要求されないため、検出時間の短縮化が可能である。（３）汚れや傷などのある範囲がわかり、記録の実行が可能か否かの判断が可能となる。（４）レーザービームの強度を高め、光ディスク面に照射するレーザー光の光量を増大させることにより、記録の信頼性を高めることができる。（５）情報が正常に再生されないことが起こった場合にも、ドライブに汚れや傷などがある光ディスクが装着されている旨を履歴情報としてユーザに知らせることができ、ユーザは正常に再生できない原因を確認することができる。（６）ドライブに汚れや傷などがある光ディスクが装着されている旨を警告することで、ユーザに対しディスクのクリーニングを促すなどの積極的アクションをすることができる。（７）記録あるいは再生の実行中においても警告可能であり、ユーザは記録または再生中の光ディスクの条件を認識することができる。（８）ドライブが記録開始アドレス及び記録サイズを記録しておくことで、記録終了後に該光ディスクに汚れや傷などがある状態で記録を行った領域を特定することが可能となる。
【００３０】
なお、上記実施例の記録装置では、光ディスク装置としてのドライブに、ホスト側の機器部としてカメラ部を接続したが、本発明はこれに限定されず、機器部として例えば、パソコン等のコンピュータなどを接続してもよい。また、光ディスク装置とホスト側の機器部とは、上記実施例の場合のように一体状に構成されてもよいし、または、互いがセパレート状にされていてもよい。
また、上記実施例では、光ディスクに汚れや異物、または傷を含む変形がある場合につき説明したが、本発明の基本的技術思想は、光ディスク以外のディスクの場合にも適用可能である。
【００３１】
【発明の効果】
本発明によれば、光ディスク装置またはこれを用いた記録装置において、光ディスクに汚れや異物、または傷などの変形がある場合にも、その度合いにより、記録または再生動作に入らせることができ、光ディスクの情報保存機能及び情報提供機能を効率的に発揮させることができる。
【図面の簡単な説明】
【図１】本発明の実施例としての記録装置の構成例図である。
【図２】図１の記録装置の動作説明図である。
【図３】図１の記録装置における汚れや傷などの検出説明図である。
【図４】履歴情報の保存に関する説明図である。
【符号の説明】
１０１…カメラ部、  １０２…レンズユニット、  １０３…撮像センサ（ＣＣＤ）、  １０４…映像入力処理回路、  １０５…マイク、  １０６…音声入力処理回路、  １０７…圧縮・伸張処理回路、  １０８…映像出力処理回路、  １０９…映像表示モニタ、  １１０…音声出力処理回路、  １１１…スピーカ、  １１２…カメラ部の制御回路、  １１３…レンズユニット１０２のドライバ、  １１４…カメラ部の操作スイッチ、  １１５…ドライブとのインタフェース、  １１６…ドライブ、  １１７…ディスク、  １１８…スピンドルモータ、  １１９…光ピックアップ、１２０…アナログ信号処理回路、  １２１…デジタル信号処理回路、  １２２…バッファメモリ、  １２３…カメラ部とのインタフェース、１２４…コースモータ、  １２５…サーボ回路、  １２６…ドライブの制御回路、  １２７…開閉センサ。
【図１】
2005044406.tif 000003
【図２】
2005044406.tif 000004
【図３】
2005044406.tif 000005
【図４】
2005044406.tif 000006